(57)【要約】【課題】本発明は、磁界シールドを有するダブルコイルピックアップは、不必要なノイズによる磁界変化から上側コイルを遮蔽し、下側コイルにノイズ束を集める構成である。【解決手段】磁界シールドは、磁石によって発生する磁界を集め、上側コイルの近辺の弦のある楽器の弦を包む。上側コイル及び下側コイルは、下側コイルにおいて生成されたノイズ信号が、ノイズを打ち消すため上側コイルで生成された信号から引くために結びつけられる。結果、出力信号は、１つのコイルピックアップよりもかなり少ないノイズを有する。シールドは、ダブルコイルピックアップの全体サイズが、以前からのシングルコイルピックアップに形成されたへこみに十分にフィットするよう小さくすることができるため下側コイルを小さくさせることができる。【選択図】      図１
2005208659.tif 000002
【特許請求の範囲】
【請求項１】
演奏楽器の弦を包む磁界を供給する磁石手段と、
前記磁石手段によって主として引き起こされる磁界の変動を検出し、そこから電気的な弦信号を発生させる上側コイル手段と、
不必要なノイズによって引き起こる主となる周辺の磁界の変動を検出し、そこから電気的なノイズ信号を発生する下側コイル手段と、
位相が１８０度ずれる前記弦信号及び前記ノイズ信号を和算すると共に、前記上側コイル手段と前記下側コイル手段とを連結する接続手段と、
前記上側コイル手段から離れた前記磁石手段によって引き起こらない周辺の磁界における前記磁束線の進路を変え、前記下側コイル手段によって発生された前記電気ノイズ信号におけるほとんどがノイズに相当する電気信号を引き起こすための前記下側コイル手段に通じ、前記上側コイル手段に生じる電気信号に対し前記弦振動により生じた磁束線変動のほとんどを変換させるために前記磁石手段によって引き起こされた前記磁界から前記磁束線の集結を支援する磁束搬送手段と、
を有する弦のある演奏装置に用いられるマグネチックピックアップ。
【請求項２】
前記電気ノイズ信号の総調節量を介し前記電気弦信号におけるノイズ信号の打ち消し量を調節する前記下側コイル手段に接続したトリムポット可変抵抗手段を有することを特徴とする請求項１に記載の装置。
【請求項３】
従来技術のシングルコイルマグネチックピックアップと同じ幾何学を有する好適な前記コイルである上側コイル形に対して前記上側コイル部の周りを包む上側コイルの巻き部を有する上側コイル部と、
前記上側コイル部の中心における１つまたはそれ以上の磁石と、
前記下側コイル部の周りを包む下側コイルの巻き部を有する下側コイル部と、
前記上側コイル形の中心の前記１つまたはそれ以上の磁石によって発生する上側コイルの磁界の周辺に集められ、弦のある装置の磁透過性の弦振動にあわせて変動し、前記上側コイルから離れ、前記下側コイルに通じる不必要なノイズにあわせて変動される周辺の磁束線の進路を変える磁束搬送プレート手段と、
前記上側コイルに発生する電気信号と前記下側コイルに発生する信号間における異なる出力信号が発生する前記上側コイルと前記下側コイルを結合する接続手段と、
を有する複数の弦を有する弦のある演奏装置に搭載されたマグネチックピックアップ。
【請求項４】
前記上側コイルに発生した信号の不必要なノイズを打ち消すために用いられた前記下側コイルによって発生するノイズ信号の量を調整し、前記下側コイルを結びつく調整するレジスタ手段をさらに有することを特徴とする請求項３に記載の装置。
【請求項５】
前記１つまたはそれ以上の磁石は、複数のアルニコ棒磁石を有することである請求項３に記載の装置。
【請求項６】
前記１つまたはそれ以上の磁石は、複数の希土類の磁石を有することである請求項３に記載の装置。
【請求項７】
前記希土類の棒磁石は、鉄製のキャップを有することである請求項６に記載の装置。
【請求項８】
前記１つまたはそれ以上の磁石は、セラミック製の棒磁石を有することである請求項３に記載の装置。
【請求項９】
複数の鉄製のキャップは、前記棒磁石の上部と前記弦の間に配置することである請求項８に記載の装置。
【請求項１０】
前記磁束搬送プレート手段は、防止するために前記上側コイルの巻き部の側面を遮蔽する垂直な壁を有するために形成された第１及び第２の鉄製の板を有し、水平な壁は、前記下側コイルの巻き部から前記上側コイルの巻き部を遮蔽する前記垂直な壁と磁性的に結びつき、第２の垂直な壁は、前記下側コイルの巻き部の中心から磁束を案内する前記水平な壁と磁性的に結びつけ、なお垂直とは、前記弦に定義された直角な面を意味し、水平とは前記弦によって定義された平行な面を意味である請求項３に記載の装置。
【請求項１１】
前記下側コイル部及び前記磁束搬送プレート手段は、単一に成形された構造、または鉄材を用いて組み立てられた請求項３に記載の装置。
【請求項１２】
前記鉄材は、フェライトであることを特徴とする請求項１１に記載の装置。
【請求項１３】
前記鉄材は、パワーメタルであることを特徴とする請求項１１に記載の装置。
【請求項１４】
前記鉄材は、プラスティックによって覆われた鉄破片であることを特徴とする請求項１１に記載の装置。
【請求項１５】
前記鉄材は、薄板状の鉄材であることを特徴とする請求項１２に記載の装置。
【請求項１６】
非鉄材によって形成された第１及び第２のプレートを有し、棒磁石を挿入する複数の穴を有し、前記穴は、前記上側コイル部が、組み立てられた際に平行関係に前記棒磁石を保持するために一列に並ぶ上側コイル部と、
前記上側コイル部の周りを包む導電の上部コイルと、
前記上側コイルの巻き部を囲むための前記上側コイル部の前記第１及び第２の板の穴に差し込まれる複数の棒磁石と、
ワイアコイルの周りを覆うことができ、細長い隙間を有するボビンとして役立つことができる鉄または非鉄材といった硬材によって形成された下側コイル形と、
前記下側コイル部の周りを巻く導電した下側コイルの巻き部と、
前記細長い隙間に差し込まれる鉄製のスラグと、
前記上側コイル周辺の前記１つまたはそれ以上の磁石によって発生した前記上側コイルの磁界の周辺に集められ、前記上側コイルから離れた前記下側コイルに通じる不必要なノイズに一致し変動する周辺の磁束線の進路を変更させるための磁束搬送プレートと、
前記上側コイルにおいて発生する電気信号と、前記下側コイルにおいて発生する信号間の異なる出力信号が発生する前記上側コイルと前記下側コイルを結びつけたプリント回路板と、
を有する弦のある演奏装置に搭載されたマグネチックピックアップ。
【請求項１７】
前記弦装置の弦に密接するために配置された上側コイルを有し、前記下側コイルで発生した信号は、前記上側コイルで発生した信号とは位相が１８０度異なるが、前記上側コイル及び下側コイルで発生された信号の合計を結びつける前記上側コイルの下方の下側コイルを有し、従来技術のシングルコイルピックアップと同一または非常に似た幾何学や不必要なノイズによる磁界変化から前記上側コイル部を遮蔽する鉄製の磁束搬送プレートを有する前記上側コイルによって特徴つけられ、下側コイルで発生するノイズ信号を最大限にし、上側コイルによってピックアップされるノイズ信号を最小限にするために前記上側コイルから離れ、下側コイルに通じる不必要なノイズによって磁束線が変化する弦装置のためのダブルコイルピックアップ。
【請求項１８】
前記弦振動によって発生しない周辺の磁界振動から前記上側コイルを遮蔽し、前記下側コイルの周辺に集まった前記周辺の磁界振動の進路を変え、
前記上部コイルにおいて前記弦振動（弦束）によって引き起こされた磁界の振動を集中させ、前記弦束から前記下側コイルを遮蔽し、前記上側コイルから発生した信号から前記下側コイルから発生した信号を取り去り、
これらステップを有し、前記装置の弦の近くに配置された上側コイルを有する弦のある装置のためにダブルコイルピックアップや前記上側コイルよりも前記弦から離れて配置した下側コイルにおいて実行するダブルコイルピックアップの駆動方法。
【発明の詳細な説明】
【技術分野】
【０００１】
本発明のエレクトロマグネチックピックアップは、エレキギターのような演奏装置の弦が振動するに従って、磁界の磁束（磁力）線が乱れる磁界を作り出す装置である。
【背景技術】
【０００２】
ピックアップは、少なくともアンプとつながっているワイアで作られたコイルを有している。弦振動による磁力線の乱れ、即ち変化は、コイルのワイアに微小な電子電流を弦に流し、これらの電流が、コイルと接続し、電気的に弦の振動を再生するパワーアンプに入力する信号を小さい電圧に変化させる。この電圧は、スピーカに出力し、高音だが弦による音を再生する信号を出力するために増幅される。
【０００３】
この世界は、電気ノイズの問題を取り除くことが全てある。６０回転／秒の電気モータに有効なシステムは、その駆動力及び調波であり、それゆえ、車の点火及び他の多くのことは、実際にどこでも大気中で電磁力の変化がおこる。これは、事実上どのように電波が伝達するのかという基本的な理論である。これらの電磁力の変化は、ピックアップの磁界における弦振動より他のことによって引き起こり、またピックアップコイルに流れる電子電流が発生する。これら不必要なノイズ信号は、弦振動によって発生する必要な信号と混ぜ合わさり、その結果、純粋ではない弦信号として、混成信号の質を悪くする。
【０００４】
ノイズと争うために、従来技術に係った開発者は、ノイズピックアップを最小限にするために様々なピックアップ信号を開発してきた。従来技術において開発されたオリジナルノイズを取り消すピックアップは、愛好者によってつくられ、特許文献１として特許化された。この開発は、ダブルコイルマグネチックピックアップを並列配置したものである。第１のコイルは、多数のノイズをピックアップしてしまうが、ほとんどの弦信号をピックアップするために開発された。第２のコイルは、弦の信号よりもノイズを多くピックアップするために開発された。第１のコイルは、Ｎ極の磁石で、第２のコイルはＳ極の磁石である。これらのコイルは、接続される故に、１つのコイルからの信号は、２つの信号が和算されたときに、第１のコイルからの信号と１８０度位相が異なっている。愛好者にとって弦の信号は、反対側の極性が、逆相の弦信号をつくるが、コイルと接続した異なる位相は、反対側の極の効果を受け取り、それゆえ弦の信号を加える必要があるため付加的なものである。このように大きい弦信号を出力させる。しかしながらコイルのハム信号は、ハム信号が両方のコイルにおいて同極を有するために、コイル磁石の磁界に発生しない。なぜなら２つのコイルは、１８０度位相が異なるため対をなし、ハム信号は、打ち消しあうからである。
【０００５】
愛好家が手配した並列配置の不利な点は、弦信号が弦の２つの異なる点での振動に基づいて２つのコイルによってピックアップされることである。なぜなら高調波は、非常に短い波長であり、これら高調波からの弦信号は、両方の磁石において同一ではない。結果として、２つの異なるポイントの問題点である十分に長い波調である低調波は、信号和算の影響が無い、これに対して高調波はそうではない。これは、実際の弦振動を再生する正確さを減らし、詳細部が欠けているミュート音を有するピックアップを引き起こす。
【０００６】
他の騒音を打ち消すピックアップの従来例として、一般市民による特許文献２が開示されている。これは、ダブルコイルと、垂直に積み重ねられ、コイルの間につい立としての棒磁石を巻くコイル及びノイズ打ち消しピックアップと、により構成されている。
【０００７】
さらに近年では、特許文献３がディマジオ他（ＤｉＭａｒｚｉｏ  ｅｔ  ａｌ）によって開示されている。この特許は、ダブルコイルと、垂直に積み重ねられ、永久磁石のような複数の板を巻くコイルとノイズ打ち消しピックアップと、により構成されている。２つのコイルは、１組の重ねあわされた同軸上のボビンによって周辺を巻かれ、コイルの軸が弦の面に垂直になるように方向が合わされている。必須である磁石板の材質は、コイル軸に垂直な２つのボビンと、上方に引き伸び、少なくとも上方のコイルのシールドとしての役割を有する上側ボビンの上面に広がる台に垂直な２枚の側壁との間に配置された台を有する構成である。言い換えると、弦の面に対し平行な板を有し、２つのボビンに分けている磁気材質のシールドは、弦の面に対し直角である２つの垂直な側壁を有する面と、ノイズ束から遮蔽するため上側コイルの側壁を覆う面を有している。棒状の永久磁石は、先端が極を有する棒磁石と板台とが必要上接続している。上側と下側のコイルは、下側コイルによって発生するノイズ信号が、弦信号とは１８０度位相であるため反対に巻いている。この考えは、上側コイルが巻きついている到着点から電流を発生させるまでノイズの電磁石による影響を防止するためにシールドを使うことである。下側コイルからの信号は、シールドされ、上側コイルからのノイズ信号を打ち消すノイズ信号をピックアップする。
【０００８】
ダンカン（Ｄｕｎｃａｎ）に付与された特許文献４は、ダブルコイルと、２つのコイルが、２つの巻き部の中心を通じて広がる永久磁石の周りに垂直に積み重ねられたノイズ打ち消しピックアップにより構成されている。図５に構成を示す。スイッチング回路は、２つのコイルに１相または２相のコイルのどちらか一方の配置において接続させる。
【０００９】
キンマン（Ｋｉｎｍａｎ）に付与された特許文献５は、ダブルコイルと、複数のコイル軸に一致したノイズ打ち消しピックアップと、第１のコイル軸を通じて棒状に広がる６本の磁性を有する棒状の永久磁石と、第２のコイル軸を通じて広がり６本の磁性を帯びないポールピースと、弦の面に直角である長い軸を有する全てのポ−ルピースと、により構成されている。多数の棒磁石ポールピースと、板磁石ポールピースの両方は露見される。２つのＵ字形状は、磁気性及び誘導性の両方から第１及び第２のコイルを遮蔽するために両方の実施形態において第１及び第２のコイルのサイドを遮蔽し背中あわせである側壁を遮蔽する。
【００１０】
キンマン（Ｋｉｎｍａｎ）に付与された特許文献６は、特許文献５の延長線上のものであり、ダブルコイルと、元の特許としてほとんど同じ配置であるノイズ打ち消しピックアップと、により構成されているが、シールドは、コイルの形状（後端がきつい曲げ部によって対を成す２本の長い直線）をしたトラックの後端に向かって水平（ｈｏｒｉｔｏｎａｌ）方向まで広がらない。
【００１１】
キンマン（Ｋｉｎｍａｎ）に付与された特許文献７は、特許文献６の延長線上のものであり、ダブルコイルと、元の特許とほとんど同じ構成であるノイズ打ち消しピックアップと、により構成されているが、ポールピースの構成が異なり変化していることを開示している。
【００１２】
チューナー（Ｔｕｒｎｅｒ）に付与された特許文献８は、ダブルコイルと、互いに上部に積み重ねられ、縦や横は大体同じに立てられ、強磁性のねじによって互いに嵌め合わされているノイズ打ち消しピックアップと、により構成されている。上側コイルは、上側ボビンの中間部の周りに巻きつき、下側コイルは、下側ボビンの中間部周辺を反対方向に巻きついており、それによって上側及び下側コイルは、連続につながっている。上側及び下側のボビンや鋼板は、上側ボビンから下側ボビンに伸びて一致する永久磁石であるポールピースを受けいれるための共軸の開口部を有している。従来技術と異なる点は、上側及び下側ボビンが、ギターの全体的な特徴を選択的に変化するための強磁性の柱を受け取るために開口部を加えたことにある。ピックアップは、上側コイルの中間部から上方に広がり下側ボビンの縦軸に取り付けられた１組の強磁性の板（図１１の６４）を有している。これらの強磁性の板はポールピースから電気的に絶縁されている。鋼板６４の目的は、ピックアップ５０内のコイル５８，６０の周りにある永久磁石ポールピース６２によって発生させられる電磁界を集めるためである。コイル５８，６０の周りの電磁界は、弦振動の電磁的な反応と電気的に接続したピックアップを生み出す電圧の両方を結びつけ増加する。これが、コイル先端における電圧の効果的な発生、またはピックアップ５０の電気的接続における結果である。
【００１３】
発明者キンマン（Ｋｉｎｍａｎ）による米国特許出願番号０９／９０９，４７３は、２００２年７月４日にファイルされ特許文献９として公開され、ノイズ打ち消しピックアップコイルにおいて低渦電流を中心部に用いた構成が提案されている。
【００１４】
この構成にかかわるに他の米国特許は、フェンダー（Ｆｅｎｄｅｒ）に付与された特許文献１０であり、側壁に形成されたシングルコイルピックアップを配置する構成であり、またスティッチ（Ｓｔｉｃｈ）に付与された特許文献１１であり、ノイズ打ち消しピックアップのためにスイッチングシステムを設けている構成であり、またフューラー（Ｆｕｌｌｅｒ）に付与された特許文献１２であり、側壁に形成されたシングルコイルピックアップを設けている構成であり、またディマジオ（ＤｉＭａｒｚｉｏ）に付与された特許文献１３であり、調節できるポールピースをピックアップに設けている構成であり、またフェンダー（Ｆｅｎｄｅｒ）に付与された特許文献１４であり、側壁にシングルコイルピックアップを設ける構成であり、アームストロング（Ａｒｍｓｔｒｏｎｇ）に付与された特許文献１５であり、ノイズを打ち消す設計に平行して磁石やコイルを配置において、変化を有する構成であり、レース（Ｌａｃｅ）に付与された特許文献１６であり、側壁にシングルコイルピックアップを配置する構成であり、レース（Ｌａｃｅ）に付与された特許文献１７であり、側壁にシングルコイルピックアップを配置する構成であり、ブラッチャー（Ｂｌｕｃｈｅｒ）に付与された特許文献１８であり、積み重ねられるタイプのノイズ打ち消し設計において、先細になり、または段になっている側壁を設ける構成であり、ブラッチャー（Ｂｌｕｃｈｅｒ）に付与された特許文献１９であり、下側コイルのインダクタンスを増加させるために余分に金属製のスラグを設ける構成であり、レース（Ｌａｃｅ）に付与された特許文献２０であり、側壁にコイルを水平にする構成である。
【００１５】
申請人が承知している従来技術において、ピックアップの上側及び下側コイルの両方は、典型的に同じ物質サイズである。さらに最近の従来技術において、異なる点は、例えば、異なるワイアゲージやダブルコイルピックアップを有するハム打ち消し部を失わずにピックアップの大きさを減らすことを試みる上で上側及び下側コイル上の異なる巻き数を用いて開発することである。例えば、上側コイルは、軽いゲージワイアの高い巻き数により巻きついており、また、下側コイルは、重いゲージワイアの低い巻き数により巻きついている。ハム打ち消し部は、たいてい上側コイル及び鉄板の保護と、または下側コイルのインダクタンスを減少させる組み合わせによって成し遂げる。下側コイルのインダクタンスの増加は、典型的に鉄を積み重ねることで行われる。（下側コイルの中空部においてポール部の側に余分な鉄を加える）これら異なるアプローチの目的は、弦信号を比較した上側コイルにおいて、ハム信号の総量を減らし、この信号が、上側コイルのハム信号を打ち消すことができる下側部コイルにおいてハム信号の総量を増加させることにある。これら従来技術の取り組みは、いくつかの問題点を抱えている。
【００１６】
第１に、上側及び下側のコイルは、たいてい同じサイズである。これは、遮蔽する他の構成やインダクタンスを最大限にすることは、上側及び下側のコイルが、同じサイズを有さなければ十分なハムを打ち消すことは不可能であるということである。言い換えれば、遮蔽した後、上側コイルにまだ残っているハム信号を打ち消すために下側コイルにおける十分なハム信号を得るために上側コイルとして同じサイズの下側コイルを有すること必要がある。
【００１７】
第２に、ミュージシャンが、シングルコイルピックアップの音を好み、ハム信号を嫌うために、シングルコイルピックアップの音を真似るダブルコイルが高く望まれている。しかしながらダブルコイルピックアップの両方のコイルは、同じサイズであり、下側コイルは、典型的に鉄負荷でみたされており、磁性構造は、シングルコイルピックアップとは必然的にかなり異なっている。ダブルコイルピックアップは、例えば、シングルコイルピックアップより短い極長であり短いコイル形状を有している。異なる磁性的及び機械的構造は、異なる出力や付随した特徴を作り出す。しかしながら、望ましくは、ハムを消し、シングルコイルピックアップとして同音であるが、ハムが少ないダブルコイルピックアップを所有することである。好ましくは、従来技術以上に改良され、積み重ねたダブルコイルピックアップは、従来技術の弦楽器のピックアップ空洞に関心を持って改良するために十分小型化する必要がある。
【００１８】
いくつかの従来技術の開発は、ダブルコイルピックアップにおいて、高い磁力のある希土類の磁石によってシングルコイルピックアップの音を遮断するように試みている。しかし、この高磁場は、過度に弦を鈍くさせて（弦は、金属であり、振動パターンを変化する高磁場によって無理やり力が加えられる）、この現象による誤った調波がギターの音を変化させる結果になる。
【００１９】
第３に、上側弦検知コイルは、下側コイルと同じサイズである。上側検知コイルは、たいてい従来のシングルコイルピックアップとは異なる幾何学やワイアゲージを有している。もし幾何学が、シングルコイルピックアップとしてダブルコイルピックアップのコイルと同じならば、ダブルコイルピックアップは、余りにも大きいために、装置の設計変更なしで従来装置におけるピックアップするための利用スペースに適していない。もし、同じワイアゲージが、従来のシングルコイルピックアップにおいて使われたものとしてダブルコイルピックアップに使われるならば、大きいワイアサイズは、ダブルコイルピックアップコイルは、ダブルコイルピックアップが有効スペースにフィットするように十分小さくなるように形成するためにシングルコイルピックアップより少ない巻き数を求める。少ない巻き数は、小さい信号が、ピックアップから出力し、それゆえ、さらに拡大の要求を意味する。少ない巻き数は、低出力に加えて、高い共振回数を与える。これら両方の特徴は、ピックアップからの音声出力を変化させる。増幅は、ハムが良く響き、さらに乱すためのピックアップ出力において、僅かに残留するハム信号を増幅する。スペースに限度があることによりダブルコイルピックアップに支配される短いコイル幾何学は、シングルコイルピックアップの幾何学が、正確に再生されず、シングルコイルピックアップの音の正確な再生を失う結果であることを意味する。
【特許文献１】米国特許２，８９６，４９１
【特許文献２】米国特許第３，６５７，４６１号明細書
【特許文献３】米国特許第４，４４２，７４９号明細書
【特許文献４】米国特許第４，５２４，６６７号明細書
【特許文献５】米国特許第５，６６８，５２０号明細書
【特許文献６】米国特許第５，８３４，９９９号明細書
【特許文献７】米国特許第６，１０３，９６６号明細書
【特許文献８】米国特許第６，２９１，７５９号明細書
【特許文献９】米国特許出願公開第２００２／００８３８１９号明細書
【特許文献１０】米国特許第３，２３６，９３０号明細書
【特許文献１１】米国特許第３，９１５，０４８号明細書
【特許文献１２】米国特許第４，０２６，１７８号明細書
【特許文献１３】米国特許第４，１３３，２４３号明細書
【特許文献１４】米国特許第４，２２０，０６９号明細書
【特許文献１５】米国特許第４，２８３，９８２号明細書
【特許文献１６】米国特許第４，８０９，５７８号明細書
【特許文献１７】米国特許第５，４６４，９４８号明細書
【特許文献１８】米国特許第５，８１１，７１０号明細書
【特許文献１９】米国特許第５，９０８，９９８号明細書
【特許文献２０】米国特許第６，１１１，１８５号明細書
【発明の開示】
【発明が解決しようとする課題】
【００２０】
従来技術の開発もまた、ピックアップの製造において、標準的な生産変化の調整では実現できないであろう。その製造は、それゆえ次世代の１つのピックアップからのハム信号における変化を有し、又は厳しい品質管理の基準がかせられたらならば、普通よりも高い割合で退けられるだろう。
【課題を解決するための手段】
【００２１】
本発明の部類は、不必要なノイズによりおこる磁束変化から上部コイルを遮蔽し、下側コイルを通じてこれら同じノイズ束の変化を転送する鉄磁束搬送プレートと弦のある機器のためのダブルコイルピックアップによって定義されている。ノイズ信号の最大量は、下側コイルにおいて発生し、ノイズ信号の最少量は、上側コイルにおいてピックアップされる。
【発明の効果】
【００２２】
最良の実施形態において、磁束搬送プレートは、各々が、上側コイルのサイドを覆う垂直壁部と、下側コイルから上側を隔てた水平壁部との２枚で形成されている。他の垂直壁部は、周辺に線がひかれ、または下側コイルが包まれている周辺の下側コイル形において、中央部の細長い溝に差し込む鉄ブレードを取り付けることである。この形状は、下側コイルの中央部通じて上側コイルを包む垂直壁部からのノイズ束変化のために最も小さいレジスタンスの磁性を引き起こす。これは、上側コイルの巻きつきを妨げるために変化するノイズ束線や、下側コイルの巻きつきを妨げるためのさらに変化するノイズ束線を少なくさせる。
【００２３】
これは、上側と下側のコイルが、互いに１８０度ことなる位相のため接続するので上側コイルにおけるノイズ電流の変化を打ち消すことができ、下側コイルにおけるノイズ電流の変化を発生させる。
【００２４】
この構成の重要な特徴は、ノイズの打ち消し効果を失わずに大きい上側コイルや小さい下側コイルを配置させることである。たいていの小さい下側コイルは、いくつかのノイズ打ち消しのロスを引き起こしているが、小さい下側コイルサイズにもかかわらず良質なノイズ打ち消しを有する下側コイルを通じてノイズ束の変化をガイドするための磁束搬送プレートを使用する。最良の実施形態において、大きい上側コイルは、従来のシングルコイルマグネチックピックアップに非常に類似した、または同一の幾何学を有する構造である。これらは、ミュージシャンが愛する古いシングルコイルピックアップに近い同一トーンを創りだす。トリムポット変化する抵抗器は、上側コイルにおけるノイズ信号を打ち消すために総ノイズ信号を変化させる下側コイルを結びつける。
【発明を実施するための最良の形態】
【００２５】
図１、図２及び図３を参照して、弦を有する装置におけるダブルコイルピックアップの最良の実施形態を詳細に説明する。図１は、本発明の構成に係るダブルコイルピックアップの最良形状の外観である。図２は、図１に示したピックアップの上面図である。図３は、図２に示した部分線Ａ−Ａに沿って切られた図１に示すピックアップの断面図である。
【００２６】
下側コイル部１０は、下側巻き部（図示しない）は、下側コイルの形に巻かれているボビンとしての機能を有する。下側コイル部１０は、ピックアップが集められた際に、鉄ブレード１２が挿入する細い長い隙間２２を有する。下側コイル部１０は、成形されたプラスティックやナイロン、他の非鉄材または鉄材によって補強されたガラスを注入することができる。下側コイル部１０に好適な材質は、形成されたプラスティックの注入部であるナイロンにより補強されたガラスである。下側コイル部１０は、非鉄材を有さず、フェライト、形成されたパワー金属、ポリウレタン及びやすり仕上げした鉄や金属射出鋳型鋼で形成することができる。他の実施形態を以下に説明する。下側コイル部１０及び磁束搬送プレート（ｆｌｕｘ  ｔｒａｎｓｆｅｒ  ｐｌａｔｅ）（図１に示す実施形態中の２４や２６）は、全て一構成であるように鉄材で形成されている。
【００２７】
それは、磁界における鋼弦の振動によって生じる磁界変化によって引き起こされる信号よりも６０サイクルのハムによって引き起こる磁界変化からの信号をピックアップするコイル１０や鉄ブレード１２の周りを巻きつく下側コイルとして機能する。
【００２８】
下側コイル部１０は、ピックアップがいっぱいに巻き付けられたときに底板２８に取り付けられる。底板２８は、非鉄材であり、最底部に配置され、回路と接続し、（図示しない）上側及び下側コイルのワイアの負荷緩衝構造である。底板に好適な材質は、片面に銅板が配され、その銅板に４つの孔が開口されたＦＲ４回路板である。それぞれに巻きつけられ露見する２つのワイアは、それぞれ孔の中に半田付けされる。上記銅板には、１８０度位相ずれ関係で直列的に２つのコイルを接続するための回路パターンが書き入れられる。これは、同じ方向に上側及び下側コイル両方を巻くことで終了する、但し、各コイルは共に２つのワイア終端に接続されている。これは、他の実施形態おいて、他のコイルとして反対方向に１つのコイルを巻き、１つのコイルの先端ワイアと他のコイルのワイア終端を結ぶことと同じことである。
【００２９】
ギター振動の（図示しない）鋼弦による磁界は、棒磁石１４，１５及び１６が典型的である複数のアルニコ製棒磁石（アルニコ２乃至５は、磁石の材質に好適である）によって引き起こされる。６本の棒磁石は、好適な実施形態で使われる。セラミック製の棒磁石もまた使用することができる、しかし弦により作り出される磁束（磁力）の磁界強度が、振動を弱めたり、弦振動の音質を変化させるのに十分な弦楽器に関する磁気引力を実質的に与えるように高くすべきではない。
【００３０】
１４のような棒磁石は、上側板１８や下側板２０を含む上側コイル部によって並列、垂直方向（方向において垂直であることは、弦の面に直角であることを意味する）に配置されている。上側板１８及び下側板２０は、プラスティック、木、ガラス、ファイバーガラス、ナイロンによって補強されたガラスといった非鉄材である。鉄材は、弦振動による磁界の変化からコイルのワイアを遮蔽する傾向があるため上側板１８及び下側板２０に使うべきではない。鉄材の上側板は、弦から離れたポールピースの磁界を閉じる傾向があり、さらに弦信号の出力を減らす傾向がある。上側及び下側板に好適な材質は、側壁（巻きつき部から外に沿って）に銅板を使用したＦＲ４回路ボードである。銅板は、非鉄材であり、１８０Ｈｚ以上のパワーライン上の高調波によって影響される上側巻き部を遮蔽する傾向がある。これら高調波は、短波長域を有する傾向があり、打ち消し関係である１８０度の位相ずれを有するために上側及び下側コイルの両方に等しく影響を出さないようにする。それゆえ、非鉄材を保護し、磁気を用いる上側コイルの外に配置するためには好適である。銅板は、本発明に必須ではなく、取り除くこともできる。
【００３１】
上側及び下側板１８，２０とアルニコ性磁石１４の組み合わせは、上側コイル部として１９で指し示している。図３に示す巻きスペース１７のコイル部１０周辺に（図示しない）上側巻きワイアを巻いた後、上側コイルが形成される。
【００３２】
上側コイル部１９は、後述する理由のため磁束搬送プレート（図１及び図３に示す２枚の板２４及び２６の組み合わせ）の鉄製の底板（図３に示すＣ及びＤ）によって隔てられているが、下側コイル１０の上方に配置されている。図３に示す１５のような棒磁石は、下側コイルの巻き部２１を通じて弦振動からの必要な磁束影響の注入を防ぐため磁束搬送プレートである底板Ｃ及びＤより下方には配置されない。これは、棒磁石は、弦を取り囲む磁束線を結びつけ、もし、棒磁石部が、下側コイル部より下方に広がるならば、弦振動よっておこる磁束変化部は、下側コイルの巻きをクロスさせ、下側コイルを通じて弦信号を注入する。これは、必要ではない。
【００３３】
シールドや磁束搬送プレートとして両方を受け取る鉄製のマグネチックシールドは、図１に示す実施形態における２４及び２６である２枚の半分板を形成する。磁束搬送プレートの底部は、鉄ブレード１２を通じて磁束を伝達するための鉄ブレード１２のサイドに取り付ける、または近くに落ち着く（図３に示す最終的に集まった部分の間）。磁束搬送プレートの側面は、上側コイルの巻き部１７を遮蔽し、磁束の変化は、６０サイクルのハムにより起こり、他の不必要なノイズは、磁束搬送プレートに入り（なぜなら空気よりも磁性が透過であるため）、下側コイルの巻き部２１の中心のハム磁束変化を注入する鉄ブレード１２に案内される。これは、不必要なノイズから上側コイルの巻き部１７を遮蔽し、下側コイルの巻き部２１を通じて注入する。軟鋼や高い磁透過性（空気よりも磁性があり、実質的に空気よりも磁性がある）は、磁束搬送プレート２４及び２６に使用される。
【００３４】
前述したように、磁束搬送プレート２４，２６の目的は、６０サイクルのハムのような不必要なノイズによる磁束の変化から上側コイルの周りを巻いた上側コイルの巻き部を遮蔽し、下側コイルの中央部から不必要なノイズによって引き起こされるこれら磁束の変化をそらすことである。磁束搬送プレートの第２の機能は、上側コイルの磁束変化に発生される弦に集中させるための上側コイルの磁気回路の配置である。磁束搬送プレート（や特に底板Ｃ，Ｄ）の第３の機能は、棒磁石によって引き起こされる磁場において鋼弦の振動による磁束の変化から底側コイルを遮蔽することである。シールド構成の目的は、底板２８上の（図示しない）２つターミナルポイントにおけるピックアップの出力信号の不必要なノイズを最小限にすることである。ダブルコイルピックアップの設計は、上側コイル部１９周辺の１つの方向に包まれている上側コイルを有し、上側コイルの巻き線を区切る弦振動による磁束変化として信号（電流の変化）を発生することを目的とする。これは必要な信号である。他の磁束量の変化は、６０サイクルのハム、または重ねあわせによって不必要な信号を重ねあわされた上側コイルの巻き部１７において電流の変化を発生し、質を悪くする上側コイルの巻き部１７の巻き線を横切る他の不必要なノイズによって引き起こされる。下側コイルの目的は、できる限り最終出力信号から多くの不必要なノイズを打ち消すことである。最後に下側コイルの巻き部２１は、上側コイル巻き部の巻き線１７と同方向に下側コイル巻き部１０の周りを巻きついているが、図４に示すように位相が外れて接続している。上側及び下側コイルは、１８０度位相が異なっているが、直列的に接続されている。
【００３５】
上側コイル１７や下側コイル２１からの信号間の１８０度位相の異なる関係や下側コイルの巻き部２１を通じてノイズ側の変化をガイドするための遮蔽や上側コイル巻き部１７の外に配置することが、本発明の中心である。この位相の異なる関係は、上側コイルのノイズ信号の全体または一部を打ち消すため下側コイルにおいて発生するノイズ信号を引き起こし、それによりピックアップの出力に必要なほとんどの弦信号が去っていく。
【００３６】
磁束搬送プレート２４及び２６は、事実上、シールド２４及び２６の構成が、高い磁透過性の材質によって作られているため下側コイルの巻き部２１に発生するノイズ磁束を誘導する機能である。これは、空気よりも磁束搬送プレート２４及び２６の材質のほうが簡単に磁性を伝達できることを意味する。それゆえ、ノイズ束の変化は、少なくとも抵抗部を捕らえ、下側コイルの巻き部２１の中心に導き、上側コイル巻き部１７にとどまる。
【００３７】
シールドの好適な材質は、鋼である。磁束搬送プレートの２枚の半板である２４及び２６は、正しいフォームを有するために押し込まれた幅広く薄い鋼である。
【００３８】
磁束搬送プレート２４及び２６に好適な実施形態は、上側の垂直な壁Ａ及びＢであり図３に示す。これら上側の壁Ａ及びＢは、６０サイクルのハムによる磁束の変化を浸透される上側コイル部１７の巻き部を遮蔽する。底側の水平板Ｃ及びＤは、棒磁石による磁束の弦振動によって引き起こされる磁束の変化から下側コイルを遮蔽する。壁部Ｅ及びＦは、鉄ブレード１２の垂直な壁に沿い、下側コイル２１の中心に通じたノイズによる磁束の変化を誘導する。
【００３９】
プラスティックカバー３０は、全体を集めて覆う。
【００４０】
図４は、位相の異なる２つのコイルの電気的な接続状態を示す回路図であり、トリムポット可変抵抗３６の接続状態を示す。上側コイルの巻き部１７は、ワイアの始端及び終端である参照符号ＳやＦを有している。２つのワイア終端は、位相が１８０度ずれる関係をつくるように共に接続している。図１に示すこの接続は、底板２８上の伝導性プリントパターンで実施される。トリムポット可変抵抗３６は、下側コイル２１を横切って接続される。トリムポット可変抵抗３６は、下側コイルの巻き部２１によって提供されるノイズ信号の打ち消し量を変化するための抵抗器を有する。これは、各ロットか各ピックアップで最も効果的な打ち消しを提供するためにトリムポット可変抵抗の工場試験と設定によって管理されており、ピックアップの異なったロットの間におけるノイズ打ち消しの度合いが製造変動として考慮されている。通常、上側コイルの巻き部１７は、下側コイルの巻き部２１よりも多く抵抗成分を有している。これは、出来るだけ２つのコイルのＤＣ抵抗成分、キャパシタンス及びインダクタンスにおける適合を正確に調整するために、上側及び下側コイルのコア材料、巻き数及びワイアサイズを適合させることを重視する多くの従来技術例に比べて異なっている。これは、下側コイルにおいて生成されたノイズ信号は、上側コイルで発生したノイズ信号に同じ重要性があたかも必要であるかのように終始されるように信じられている。これは、あたかも完全に必要であるような打ち消しの度合いを改良する従来技術における考えであった。
【００４１】
同じサイズの２つのコイルを作る従来技術の問題点は、以前からのピックアップのシングルコイルよりも２つのコイルを小さく作るように求められたことである。これは、ダブルコイルピックアップ全体の構造が、装置の改良なしで弦のある装置のピックアップへこみ部にフィットすることができることを示している。不運にも弦信号をピックアップする上側コイルが、以前からのシングルコイルピックアップよりも小さく作られた時、小さいダブルコイルピックアップから出力される音質は、大切な以前からのシングルコイルピックアップからと同じではなくなることである。本発明は、以前からのシングルコイルピックアップとして同じサイズや幾何学として上側コイルを作ることや要求するサイズに合うように下側コイルを小さく作ることによってこの問題を取り除いているが、磁束搬送プレートを使うことでさらに効果的にピックアップするハムを取り除くことができる。
【００４２】
本発明の好適な実施形態では、反対に下側コイルよりもかなり大きい上側コイルを使用することであるが、上側コイル中に多くのノイズ磁束変化を入れないために磁束搬送プレートを使い、小さい下側コイルの中心に磁透過性を迂回させる。そのうえノイズ打ち消し量は、小さい下側コイルが従来技術のダブルコイルピックアップよりも大きいことによって引き起こされる。この小さい下側のコイルは、ミュージシャンが愛用した以前のシングルコイルピックアップのワイアゲージや巻き数を密接または正確に一致したワイアゲージや巻き数を上側コイルに巻かせるために従来技術のダブルコイルピックアップとして比較して十分に加えられたスペースを配置している。ワイアゲージは、コイルのＤＣ抵抗に影響する。隣接している巻き部間のスペースは、コイルのインターターンの静電容量に影響する。磁束搬送プレートの使用は、より小さな下側コイルを使用させ、それゆえ、幾何学における前述した利点や、上側コイルの電気的特性を有する。本発明の大きい上側コイルや小さい下側コイルは、従来技術のダブルコイルピックアップよりも弦からさらに離れて下側コイルを配置することである。これは下側のコイルは弦から離れることは、下側コイルでピックアップされる必要な弦信号を増幅させるために必要である。下側コイルにピックアップされたいくつかの弦信号は、上側コイルによって出力される必要な弦信号部分を打ち消す。総合的な結果は、シングルコイルピックアップのノイズパフォーマンスよりは良いが、シングルコイルピックアップのように出力し、優れたノイズパフォオーマンスを有するハムバッカーダブルコイルピックアップである。
【００４３】
磁束搬送プレートの使用は、他の有利な点も有している。本発明における棒磁石は、以前のシングルコイルピックアップにおいて、シングルコイルピックアップに密接した全体的なパッケージよりも少し短いために、磁界は棒磁石を失うことによって強烈に発生する。
【００４４】
全体的なパッケージサイズをシングルコイルピックアップと同じに維持させることは、オーバーサイズのピックアップに対応するように用いられることを除き、プレイヤーに無理矢理ギターに取り付けることを回避させる。もし積み重なったダブルコイルピックアップが、シングルコイルピックアップよりも大きければ、プレイヤーは、シングルコイルピックアップの場合よりも弦をかなり密接にピックアップに近づけて配置せざるをえない。これは、プレイヤーのプレイスタイルを妨げ、さらにピックアップのトーンを変化させる。本発明の積み重ねられたピックアップダブルコイルの短い磁石は、プレイヤーのイライラを避けるために弦からの十分離れたところにピックアップの上面を配置する。
【００４５】
重要なのは、弦の周りの極性の無い磁界は、ピックアップによって出力される信号増幅においてロスを導く。磁束搬送ファープレートの使用は、弦の磁界強度の強度を多少または全然失わず導く弦に対して、棒磁石によって発生された磁束強度を集める傾向である。さらに、磁束搬送プレートが磁界を焦点し、上側コイルの周りの小さく開口した磁気回路を形成し、磁束搬送プレートを配置するため、下側コイルは、弦による磁束変化から絶縁する。それゆえ下側コイルに発生する弦信号の量は、減少する。これは、下側コイルが上側コイルと１８０度位相が異なり、下側コイルにおけるいくつかの弦信号が上側コイルにおける弦信号の打ち消し部分であるためには重要である。それゆえ弦から離れて配置している下側コイルやストリングベースにより遮蔽している磁束の変化は、下側コイルにおいて発生した弦信号の量を減少させる。もし、下側コイルが上側コイルの弦信号の一部を打ち消されて増幅された有効な弦信号を保持するならば、ピックアップの出力信号の全体的な信号／ノイズ比の重大な低下を意味し、シングルコイルピックアップのトーン及び性能からかなりの変化を生じさせる。
【００４６】
トリムポット３６の使用は、下側コイルの巻きすぎを可能にし、その時にトリムポットを並列に配置する。トリムポットは、最大限のハム打ち消し効果を得るまで調節される。トリムポットを使用することは、いくつかのアドヴァンテージを有している。まず、トリムポットは、各ピックアップの生産バラツキによる性能誤差を解消するためにそれぞれにピックアップを調節することができ、それゆえ、各ピックアップにおいて最大限のハムを打ち消させる。並列に配置したトリムポットは、ピックアップ内の全ＤＣ抵抗成分に対して下側ピックアップの寄与するＤＣ抵抗成分を減少させる。下側コイルのＤＣ抵抗成分は、ピックアップの出力を減少させ、電流が下側コイルのＤＣ抵抗成分を通じて流れた際、下側コイルを横切る電圧に変換し、弦の電磁量の変動によって上側のコイルに誘導するために不利である。下側コイルのＤＣ抵抗成分の低下は、上側コイルの弦信号を不必要に打ち消し、上側のコイルにおいて発生された必要な弦信号の電圧表示量を減少させる。その結果、上側コイルで発生した弦信号の不必要な打ち消し部分が少なくなる。最小限の不必要な弦信号を打ち消すことは、有用である。
【００４７】
図４に示す配置は、全体的な受動素子を示している。他の実施形態において、２つのコイル信号は、上側コイル信号から下側コイル信号を減算するためのアナログ差分アンプに対して入力される。又はデジタル信号処理装置及びデジタル処理回路は、他の実施形態における他のそれぞれからの２つの信号を減算するために用いることができる。
【００４８】
図５は、ギターの弦によって影響される磁束線のために磁束搬送プレートにより引き起こされる磁束路を示した図である。磁束線４０は、１５のような棒磁石の１つの磁極から現われ、磁性を透過するギター弦４２を包みこむ。その時、磁束線は、棒磁石のもう一方の極に向かって戻り、磁束搬送プレート２４，２６によってそこへ導かれる。磁束搬送プレートを通り抜ける磁路は、大気中よりも簡単に通り抜け、磁束線４０は、磁束搬送プレート２４，２６に集められる傾向があり、矢印４４によって表され、棒磁石の底部の極に向かって移動する。磁束線は、棒磁石の底部の極に戻ることを望み、下側のコイル巻き部２１、鉄ブレード１２や下側コイルの巻き部２１の中心における磁束搬送プレートのＥとＦ部分に入らない傾向である。この事象は、エアギャップ４６の存在により僅かに助成されるが、そのエアギャップは、他の実施形態において削除することも出来る。
【００４９】
図６は、種々の回路に対して流れる１２Ｖ障壁力電流により生じた６０サイクルハムのような外部ノイズ磁束場の磁束路を示す図であり、下側コイル２１を通じてこれらのノイズ磁束線を磁束搬送プレートが案内する方法を示す図である。外部ノイズ磁束線４８は、どこにでも存在し、ギターアンプの伸びたコードに通じて壁面力といったピックアップを外に導くように通して磁電流を流すことによって引き起こされる。これら外部ノイズ束線４８がマグネットピックアップに直面した際、上側コイルの巻き部１７や水平な底部Ｃ，Ｄから離れた磁束搬送プレート２４や２６である磁透過性の垂直な壁ＡやＢによって進路が変化させられる。これらの水平な底部Ｃ，Ｄは、大気中やそれら周りの他の構成よりもさらに磁透過性を有し、下側コイルの巻き部２１や鉄ブレード１２の中心部である垂直な壁Ｅ，Ｆにノイズ力線を案内する。矢印５０は、外部のノイズ束線が変更した路を表している。これは、上側コイルの巻き部１７ではなく、下側コイルの巻き部２１に生成された多くのノイズ信号電圧を起こす。
【００５０】
図７は、弦を包む強い磁界を構成する希土類のネオジウムの棒磁石を用いた本発明の構成に関するダブルコイルピックアップの他の実施形態を表したものである。図７に示す実施形態における構成は、高いエネルギーを有するネオジウム棒磁石５２，５４，５６，５８，６０，６２が、図１に示す実施形態の低い耐久力の棒磁石に代わったことを除いて図１に示す実施形態と同様である。各ネオジウムの棒磁石は、鉄製のスラグキャップや、またはキャップ６４及び６６が典型的なポールピースを有している。高い耐久力の希土類の磁石を用いる優位性は、上側の巻き部１７のボビンのコアを小さい断面エリアに許容することである。この許容は、さらに巻き部をつくることによって上側コイル部６８のために少し高価に型形成されたボビンを用いることである。鉄製のスラグやキャップ６４は、取り除くことができるが、磁束を広く割り当てる構成や、以前からのポールピースの外観をピックアップする構成である。
【００５１】
図８は、棒磁石の代わりに帯形状磁石を有するダブルコイルピックアップを用いる第２の実施形態を示す。本実施形態において、帯形状磁石７０は、個別の棒磁石の代わりに用いられ、標準的な７４や７２の６本の光学鉄製のキャップポールピースは、一般的な外観のポールピースを備えている。帯形状磁石は、上側の巻きボビン７６内の隙間７８内を滑るように動く。板磁石７０は、棒磁石や希土類の棒磁石よりも磁性が弱いセラミック素材で完全につくられている。なぜならセラミックは、棒磁石より低い鉄含有量であり、上側コイルの巻き部１７のインダクタンスは、本実施形態よりも少ない。これは、上側コイルの巻き部１７の不必要なハム誘導信号の量を少なくさせる。
【００５２】
図９は、シールドと下側コイルボビンとを組み合わせ一構成としたダブルコイルピックアップの第３の実施形態を示した図である。図９に示す実施形態において、たとえ上側コイル部や磁石のために他の実施形態が図９に示すスペースに変化があったとしても、上側コイル部やアルニコ磁石は、図１に示すように用いられる。他の実施形態からの大きな変更点は、２枚に分けた磁束搬送プレートや鉄製のブレードや下側コイル部の代わり、一体であるトランスファープレートや組み合わされた下側コイルボビン８０が用いられたことである。一体となったシールド／ボビン８０は、焼結フェライト、粉末金属またはポリウレタン基内に封入された鉄片からなるゴム型円柱として作製することができる。本実施形態の優位性は、ピックアップを組み立てるために低い労働コストであり、エアギャップを除いたモノシリック構造のために下側コイル巻き部に対してハム磁束を効果的に伝達することである。シールド／ボビンを選択した素材によれば、下側コイルにおける渦電流をロス最小限にすることにもなる。
【００５３】
図１０（ａ）は、シールド構造と、下側コイルの渦電流を減らすための薄板構造において下側コイルボビンとを、結合した中心構造を示している。図１０に示した薄板のシールド／ボビン構造は、図１、図７、図８及び図９に示したいくつかの種類を他種類として用いている。図１０（ａ）は、焼結又は成形された後端キャップの使用を示している。組み合わされたシールド／ボビン構造は、図９に示した実施形態と同じ形状であるが、各々がサッカーのゴールポストのように見える鉄製の素材を平行にスライスして積み重ねたものである。モノリシック構造のために、最も効果的なハム伝達が結果にでて、積み重ねることで下側のコイルの渦電流のロスを減らすことになる。
【００５４】
たとえ本発明が、この中で開示された好適及び他の実施形態に関して開示されていても、これら技術スキルは、本発明の範囲や趣旨からかけ離れていなければこの中に開示された構成に対して他の実施形態や修正したものとしてできる限り判断するだろう。全てのこのような他の実施形態や他の修正点は、これに添付した請求項の範囲内であれば変更してもよい。
【図面の簡単な説明】
【００５５】
【図１】本発明の構成に関するダブルコイルピックアップの最良形状の外観を示す図である。
【図２】図１に示したピックアップの上面図である。
【図３】図２に示した部分線Ａ−Ａにそって切られた図１に示すピックアップの断面図を示す図である。
【図４】位相の外やトリムポット変化抵抗の２つのコイルの電気接続を示した回路図である。
【図５】ギターの弦によって影響される磁束線に対する磁束搬送プレートによって引き起こされる束路図である。
【図６】様々な回路に流れる１２０ボルトの壁電流によって引きこされる６０サイクルハムとしての外部のノイズ磁場の束路の図であり、どのように下側コイル２１に対してノイズ束線を案内するかを示している。
【図７】弦を包むため強い磁場に配置された希土類であるネオジムの棒磁石を用いた本発明の構成に関わるダブルコイルピックアップの他の実施形態を示した図である。
【図８】棒磁石の代わりに板磁石を有するダブルコイルピックアップの第２の実施形態を示す図である。
【図９】シールドと下側コイルボビンを一組として有するダブルコイルピックアップの第３の実施形態を示す図である。
【図１０】さらに効果的に改良され、底側コイルにおける渦電流を減らすため薄板構造の下側コイルボビンにシールド構造を組み合わせた中心構造を示す図である。
【符号の説明】
【００５６】
１０：下側コイル部、１２：鉄ブレード、１４，１５，１６，：棒磁石、１７：上側コイルの巻き部、１８：上側板、１９：上側コイル部、２０下側板、２１：下側コイルの巻き部、２２：細い長い隙間、２４，２６：磁束搬送プレート、２８：底板、３０：プラスティックカバー、３６：トリムポット、４０：磁束線、４２：弦、４４：矢印、４６：エアギャップ、５０：矢印、５２，５４，５６，５８，６０，６２：ネオジウム棒磁石、６４，６６：キャップ、６８：上側コイル部、７０：板磁石、７２，７４：キャップポールピース、７６：上側の巻きボビン、７８：細長い隙間、８０：下側コイルボビン。
【図１】
2005208659.tif 000003
【図２】
2005208659.tif 000004
【図３】
2005208659.tif 000005
【図４】
2005208659.tif 000006
【図５】
2005208659.tif 000007
【図６】
2005208659.tif 000008
【図７】
2005208659.tif 000009
【図８】
2005208659.tif 000010
【図９】
2005208659.tif 000011
【図１０】
2005208659.tif 000012